(57)【要約】【課題】ユーザがＳＮＳ表示画面を迅速に切り換えることのできる情報処理システム及び情報処理方法を提供する。【解決手段】記名ソーシャルネットワーキングサービス（ＳＮＳ）を提供する記名ＳＮＳ提供部１２０と、匿名ＳＮＳを提供する匿名ＳＮＳ提供部２２０と、記名ＳＮＳ及び匿名ＳＮＳの双方にログイン可能な会員情報を管理するプロファイル管理部３００と、記名ＳＮＳで表示される表示画面及び匿名ＳＮＳで表示される表示画面の一方の表示画面への操作に応じ、会員情報を参照して、他方の表示画面に切り換えるためのＳＮＳ切換部１２１及び２２１とを備える。【選択図】図４
2013149019.tif 000002
【特許請求の範囲】
【請求項１】
第１のソーシャルネットワーキングサービスを提供する第１のサービス提供手段と、
第２のソーシャルネットワーキングサービスを提供する第２のサービス提供手段と、
前記第１のソーシャルネットワーキングサービス及び前記第２のソーシャルネットワーキングサービスの双方にログイン可能とする会員情報を管理する管理手段と、
前記第１のソーシャルネットワーキングサービスで表示される表示画面及び前記第２のソーシャルネットワーキングサービスで表示される表示画面の一方の表示画面への操作に応じ、前記会員情報を参照して、他方の表示画面に切り換えるための切換手段と
を備える情報処理システム。
【請求項２】
前記第１のソーシャルネットワーキングサービスは記名性であり、
前記第２のソーシャルネットワーキングサービスは匿名性である、
請求項１記載の情報処理システム。
【請求項３】
前記切換手段は、前記第１のサービス提供手段が前記第１のソーシャルネットワーキングサービスを提供する会員のうち、特定の条件を満たす会員のみに対して、前記第１のソーシャルネットワーキングサービスで表示される表示画面から第２のソーシャルネットワーキングサービスで表示される表示画面に切り換える、
請求項２記載の情報処理システム。
【請求項４】
前記特定の条件は、会員の職業に係る条件である、
請求項３記載の情報処理システム。
【請求項５】
前記第１のソーシャルネットワーキングサービス上では、会員間の前記第２のソーシャルネットワーキングサービスへの紹介が可能であるが、
前記第２のソーシャルネットワーキングサービス上では、会員間の前記第１のソーシャルネットワーキングサービスへの紹介が行えない、
請求項２乃至請求項４のいずれか１項記載の情報処理システム。
【請求項６】
前記第１のソーシャルネットワーキングサービスの表示画面と、前記第２のソーシャルネットワーキングサービスの表示画面とが類似する、
請求項１乃至請求項５のいずれか１項記載の情報処理システム。
【請求項７】
第１のソーシャルネットワーキングサービスを提供するステップと、
第２のソーシャルネットワーキングサービスを提供するステップと、
前記第１のソーシャルネットワーキングサービス及び前記第２のソーシャルネットワーキングサービスの双方にログイン可能とする会員情報を管理するステップと、
前記第１のソーシャルネットワーキングサービスで表示される表示画面及び前記第２のソーシャルネットワーキングサービスで表示される表示画面の一方の表示画面への操作に応じ、前記会員情報を参照して、他方の表示画面に切り換えるステップと
を備える情報処理方法。
【発明の詳細な説明】
【技術分野】
【０００１】
本発明に係るいくつかの態様は、情報処理システム及び情報処理方法に関する。
【背景技術】
【０００２】
近年、ＳＮＳ（ソーシャルネットワーキングサービス）と呼ばれる、社会的ネットワークをインターネット上で構築するサービスが普及しつつある。例えば特許文献１には、ＳＮＳ等のコミュニティサイトを用いることにより、趣味、居住地域、出身校、会社等のつながりを通じて人間関係を構築することが可能なことや、コミュニティサイトに友人を紹介する友人紹介方法等が開示されている。
【先行技術文献】
【特許文献】
【０００３】
【特許文献１】特開２００９−１２３０８４号公報
【発明の概要】
【発明が解決しようとする課題】
【０００４】
ＳＮＳは、ユーザがＩＤやパスワードを入力してログインすることでユーザを識別し、その上で、当該ＳＮＳの用途や目的に応じて、原則記名（本名を用いる場合をいうものとする。）、若しくは匿名（ニックネーム等を用いる場合をいうものとする。）により各ユーザがお互いを識別できるようになっていることが多い。
【０００５】
現在、インターネット上には、用途やコミュニティに応じ、記名であるか匿名であるかを問わず、多数のＳＮＳが提供されている。ここで、実名のＳＮＳでは、責任を伴うので、説得力をもって建前の意見を発言できるが、一方で、本音の意見を発言する場合には匿名のＳＮＳであることが望ましい場合も多い。ＳＮＳ上で実名で発言するか、或いは匿名で発言するかといった行為を切り換えるには、従来、異なる仕組みで運営されている複数のＳＮＳに、それぞれ別々にＩＤやパスワードを入力するログインを要求されることが多かった。このようなＩＤやパスワード等を入力するログイン処理を行う操作は、ユーザにとって非常に煩雑であるので、状況に応じて、ユーザが迅速に様々なＳＮＳを切り換えられることが望ましい。
【０００６】
本発明のいくつかの態様は前述の課題に鑑みてなされたものであり、ユーザがＳＮＳ表示画面を迅速に切り換えることのできる情報処理システム及び情報処理方法を提供することを目的の１つとする。
【課題を解決するための手段】
【０００７】
本発明の情報処理システムは、第１のソーシャルネットワーキングサービスを提供する第１のサービス提供手段と、第２のソーシャルネットワーキングサービスを提供する第２のサービス提供手段と、前記第１のソーシャルネットワーキングサービス及び前記第２のソーシャルネットワーキングサービスの双方にログイン可能とする会員情報を管理する管理手段と、前記第１のソーシャルネットワーキングサービスで表示される表示画面及び前記第２のソーシャルネットワーキングサービスで表示される表示画面の一方の表示画面への操作に応じ、前記会員情報を参照して、他方の表示画面に切り換えるための切換手段とを備える。
【０００８】
本発明の情報処理方法は、第１のソーシャルネットワーキングサービスを提供するステップと、第２のソーシャルネットワーキングサービスを提供するステップと、前記第１のソーシャルネットワーキングサービス及び前記第２のソーシャルネットワーキングサービスの双方にログイン可能とする会員情報を管理するステップと、前記第１のソーシャルネットワーキングサービスで表示される表示画面及び前記第２のソーシャルネットワーキングサービスで表示される表示画面の一方の表示画面への操作に応じ、前記会員情報を一部参照して、他方の表示画面に切り換えるステップとを備える。
【０００９】
尚、本発明において、「部」や「手段」、「システム」とは、単に物理的手段を意味するものではなく、その「部」や「手段」、「システム」が有する機能をソフトウェアによって実現する場合も含む。また、１つの「部」や「手段」、「システム」が有する機能が２つ以上の物理的手段や装置により実現されても、２つ以上の「部」や「手段」の機能が１つの物理的手段や装置により実現されても良い。
【発明の効果】
【００１０】
本発明によれば、ユーザがＳＮＳ表示画面を迅速に切り換えることのできる情報処理システム及び情報処理方法を提供することができる。
【図面の簡単な説明】
【００１１】
【図１】本発明の実施形態における情報処理システムの機能を説明するための図である。
【図２】本発明の実施形態における情報処理システムで表示される表示画面の具体例を示す図である。
【図３】本発明の実施形態における情報処理システムで表示される表示画面の具体例を示す図である。
【図４】本発明の実施形態における情報処理システムの機能構成を示す図である。
【図５】図４に示した情報処理システムで管理されるプロファイルの具体例を示す図である。
【図６】図４に示した情報処理システムで管理されるプロファイルの具体例を示す図である。
【図７】図４に示した情報処理システムの処理の流れを示すフローチャートである。
【発明を実施するための形態】
【００１２】
以下に本発明の実施形態を説明する。以下の説明及び参照する図面の記載において、同一又は類似の構成には、それぞれ同一又は類似の符号が付されている。
【００１３】
（実施形態）
図１乃至図７は、本発明の実施形態を説明するための図である。以下、これらの図を参照しながら、以下の流れに沿って本実施形態を説明する。まず「１」で実施形態全体の概要を示す。その上で、「２」でシステムの構成を説明する。「３」では、処理の流れを説明する。最後に、「４」以降で、本実施形態に係る効果等を説明する。
【００１４】
（１  概要）
（１．１  システムの機能概要）
まず、図１を参照しながら、本実施形態に係る情報処理システムの機能を説明する。図１は、本発明に係る情報処理システムの機能を説明するための図である。
【００１５】
本情報処理システムは、記名ソーシャルネットワークサービス（ＳＮＳ）１００と、匿名ＳＮＳ２００との、２種類のＳＮＳを提供するものとする。ここで、記名又は記名性とは、原則として本名（実名）をユーザが示してユーザがお互いを認識する場合をいい、匿名又は匿名性とは、ニックネーム等の、ＳＮＳ上の情報からは個人が特定されづらい名称を用いて、ユーザがお互いを認識する場合をいうものとする。
【００１６】
なお、以下の実施形態では、２つのＳＮＳを切り換える場合を例に説明するが、これに限られるものではなく、３以上のＳＮＳを切り換える可能としても良い。この場合、それぞれの切り換え可能なＳＮＳには、単体で動作可能なＳＮＳの機能をもたせることで、より簡便なシステムとしても応用可能である。
【００１７】
本実施形態の記名ＳＮＳ１００は、サービスの提供を受ける個人ユーザを、医療関係者、より具体的には医薬情報担当者（ＭＲ：Ｍｅｄｉｃａｌ  Ｒｅｐｒｅｓｅｎｔａｔｉｖｅ）Ｍや医師Ｄに限るものとする。この他、例えば看護師や歯科医師等の医療関連の職業に就く個人ユーザにも、記名ＳＮＳ１００を提供しても良い。また、製薬会社Ｐや医薬情報担当者Ｍよりもさらに詳しい知識を有する医療情報提供者Ｉ（通常、学術担当者）も、記名ＳＮＳ１００のサービス提供者の許可を経て参加可能である。製薬会社Ｐや医療情報提供者Ｉは、それぞれ、自社で販売する各種医薬の情報や、国内外の論文の情報等を有料又は無料で提供し、医師Ｄや医薬情報担当者Ｍは、記名ＳＮＳ１００上で、これらのアクセスできるようになっている。このような情報提供には、なんらかの利益の授受が伴うことも多いので、不正な行為を防ぐためにも、実名によりユーザを識別する記名ＳＮＳ１００を活用することが望ましい。
【００１８】
記名ＳＮＳ１００にアクセスできる個人ユーザ（会員）のうち、医師Ｄは、匿名ＳＮＳ２００にもアクセス可能である。匿名ＳＮＳ２００は、医師Ｄがプライベートで交流するためのＳＮＳであり、例えばサークル活動や噂話、ゲーム等を行う場として提供される。特に近年、女医の人数が増えており、それに伴い、高学歴であるがために結婚問題に悩む医師Ｄの数も増えつつある。このような状況の下、年齢や氏名、社会的ステータス等の情報は告知せずに、恋愛観だけを議論する場所などが求められており、匿名ＳＮＳ２００は、そのようなニーズに応えるものである。
【００１９】
ここで、記名ＳＮＳ１００を切り換えて匿名ＳＮＳ２００にアクセスできるのは医師Ｄだけであることを原則とする。そして、医師Ｄが一般的に高収入で社会的信頼性が高いという性質に着目し、マンションや車等の販売業者又は資産運営コンサルタントや転職サービス業者である販売業者Ｓや、医師Ｄとの間で人材交流を図るサービスを提供する交流サイト業者Ｃ（及び交流サイト業者Ｃから紹介を受けたユーザ）等も、匿名ＳＮＳ２００のサービス提供者の許可を経る等の手段により参加可能であるものとする。尚、記名ＳＮＳ１００のユーザが匿名ＳＮＳ２００にアクセスする場合、匿名ではあるが、医師Ｄであることはユーザ間で識別可能である。
【００２０】
つまり、ユーザ（会員）の内、医師Ｄは、記名ＳＮＳ１００及び匿名ＳＮＳ２００の双方にアクセス可能であり、医療情報の交換等といった職業上の公の立場での社会的ネットワークは記名ＳＮＳ１００で、医療行為とは関係のない、よりプライベートな立場での社会的ネットワークは匿名ＳＮＳ２００で構築することが考えられる。
【００２１】
尚、こうした社会的ニーズは、医師Ｄでなくとも、例えば、一般に「先生」と呼ばれる職業等の公人と呼ばれる性格をもつ職業の人には、共通して望まれるニーズであると考えられる。これは、「先生」と呼ばれている職業は、通常、社会から尊敬されている職種であることが多いが、そうした職種の人々は、建前も大切である一方で本音ももち、そのジレンマに悩むことが多いからである。つまり、このような記名ＳＮＳ１００及び匿名ＳＮＳ２００の切り換えに係る実施形態は、医師Ｄにかぎらず、弁護士、政治家、学校の先生、塾の先生、などを対象とすることも考え得る。
【００２２】
また、上記説明では記名ＳＮＳ１００のサービスを受けている医師Ｄが匿名ＳＮＳ２００へアクセスできるものとして説明したが、医師Ｄが匿名ＳＮＳ２００のみにアクセスできるようにしても良い。
【００２３】
さらに、ＳＮＳを切り換えられる権限は、管理人あるいは制作者の方針によって、選択的に設定が可能であるものとする。また、上述の通り、本実施形態では記名ＳＮＳ１００及び匿名ＳＮＳ２００を自由に切り換えることができるのは医師Ｄだけであるものとして説明を行うが、これに限られるものではなく、今後の社会的ニーズ等に応じて、そのルールを変化させることも考えられる。例えば、製薬企業の医薬情報担当者Ｍの女性も、結婚問題などに悩んでいることが多く、女医の場合と同様に匿名ＳＮＳ２００へのニーズは高いものと考えられるため、このような人々を対象に適用範囲を広げることも考えられるからである。
【００２４】
ここで、記名ＳＮＳ１００及び匿名ＳＮＳ２００には、例えばインターネット等のネットワークを介して医師Ｄや医薬情報担当者Ｍがアクセスすることが考えられ、また、それぞれのＳＮＳで提供されるサービスを受けるためには、例えばＩＤやパスワード等の入力をユーザに求めるログインが必要である。しかし、このようなログイン操作は面倒であるので、記名ＳＮＳ１００及び匿名ＳＮＳ２００の双方でログインを求めると、ユーザは、ＳＮＳを即座に切り替えることができない。例えば、業務時間中ではあるが患者がいないといった状況で医師Ｄが匿名ＳＮＳ２００にアクセスしている最中に、看護師や患者が急に部屋に入ってきた場合には、即座に記名ＳＮＳ１００に表示画面（ＳＮＳ）を切り換えたいというニーズがある。そこで本実施形態に係る記名ＳＮＳ１００及び匿名ＳＮＳ２００は、煩雑な操作なしに、即座に相互に切換え可能となっている。これにより、ユーザである医師Ｄは、状況に応じて迅速にＳＮＳを切り換えることができるようになる。本実施形態の中では、このように迅速にＳＮＳを切り替える機能を、「Ｗａｒｐ機能」若しくは「ワープ機能」と呼ぶこともある。
【００２５】
ところで、本情報処理システムが正常に機能するためには、ユーザから入力される実名が、真の実名でなくてはならない。それを担保する手段として、複数人から実名であることを承認させる機能を、記名ＳＮＳ１００上の本人認証確認方法として内蔵させるのが好ましい。具体的には、複数人、例えば、ネットワークで繋がるコミュニティの２名以上の相手（承認人）が、そのユーザの記載している実名が正しいことを担保しない限り、真の実名としては認定しない機能を、記名ＳＮＳ１００上の本人確認方法に持たせることが考えられる。これによって、匿名ＳＮＳ２００と記名ＳＮＳ１００との間には、承認システムが必要か必要でないかの、システムとしての区別が可能となる。つまり、記名ＳＮＳ１００には、本当に実名であるかを担保する承認人から、ユーザが示した内容（実名等）が正しいと承認するための承認システムを内蔵しておく必要があり、この承認システムをもつことが、記名ＳＮＳ１００の匿名ＳＮＳ２００との機能および社会的存在意義の明確な差異を定義するものとなる。
【００２６】
（１．２  画面例）
ユーザがＳＮＳを切り換える場合の操作等について、図２及び図３の表示画面例を参照しながら説明する。図２は記名ＳＮＳ１００が提供する表示画面１１０の具体例、図３は匿名ＳＮＳ２００が提供する表示画面２１０の具体例である。尚、図２や図３の表示画面１１０及び２１０は、例えば記名ＳＮＳ１００や匿名ＳＮＳ２００を提供するＳＮＳサーバ（情報処理システム）１０（図４を参照しながら後述）がＨＴＭＬ（ＨｙｐｅｒＴｅｘｔ  Ｍａｒｋｕｐ  Ｌａｎｇｕａｇｅ）等により記述されたテキストデータ等を生成し、クライアント端末のブラウザが当該テキストデータ等に従って表示するものである。つまり、図２や図３の表示画面１１０及び２１０は、記名ＳＮＳ１００や匿名ＳＮＳ２００を提供するＳＮＳサーバ１０が生成して、クライアント端末に表示させるものと言える。
【００２７】
記名ＳＮＳ１００では、１対他で迅速に情報を伝達することのできるツイート（Ｔｗｅｅｔ）機能、電子メールのようにユーザ間でメッセージを相互に伝達しあうメッセージ（Ｍｅｓｓａｇｅ）機能、ユーザが治療記録等の日々の出来事等を記載する日記（Ｄｉａｒｙ）機能、記名ＳＮＳ１００のプラットフォーム上でプログラムを動かす、または外部サイトおよび外部の会員制サイトへのアクセスを簡略化するアプリケーション（Ａｐｐｌｉｃａｔｉｏｎ）機能、随時情報が配信されるニュース（Ｎｅｗｓ）機能、ネットワーク上にデータを保存可能なストレージサーバ等の機能が提供されるクラウドストレージ（Ｃｌｏｕｄ  Ｓｔｏｒａｇｅ）機能、各種製薬会社等が管理するサイトへアクセスするためのＩＤやパスワード等を管理する機能(ＩＤ、パスワード連結機能)、等が提供される。これらの機能は、ボタン群１１３のいずれかのボタンをクリックすることにより、ユーザが選択することができ、メイン領域１１５にそれらの機能に応じた表示がなされる。
【００２８】
さらに、ユーザが医師Ｄである場合には、表示画面１１０上に、ユーザがサービスを受けるＳＮＳを記名ＳＮＳ１００から匿名ＳＮＳ２００へ切り換えるためのワープボタン１１７が配置される。このボタンは、再度ＩＤやパスワードの入力を伴う操作なく、匿名ＳＮＳ２００へログインするためのボタンである。換言すると、医師Ｄである１人のユーザは、１つのユーザプロファイルで、記名ＳＮＳ１００及び匿名ＳＮＳ２００の双方にログインして利用することができると共に、それらのＳＮＳを１クリック等の単純な操作で切り換えることができる。ひとつのボタン（本実施形態内ではワープボタン１１７）で、実名画面と匿名画面を切り替えられる点は、これまでに無い、本実施形態に係る情報処理システム１の大きな特徴の１つである。
【００２９】
図３は、上述の通り匿名ＳＮＳ２００でクライアント端末のブラウザに表示される表示画面２１０の具体例である。匿名ＳＮＳ２００は、ユーザがプライベートな情報をやり取りする場であるので、実名は記載せず、ニックネームがプロファイル欄に記載されていると共に、それらはいつでも変更は可能である。例えばメイン領域２１５で表示される内容も、図２に具体例を示した記名ＳＮＳ１００よりも、よりカジュアルなものとなっている。例をあげると、高名な医師になればなるほど、実名で医療の基本的な質問をすることに抵抗を感じる人が多い。しかし、そのような高名な医師であったとしても、ワープ機能によって、すぐに匿名ＳＮＳ２００にきりかえて、大学卒業直後くらいの未熟な医師のふりをすれば、遠慮無く他の医師に医療の基本的な質問をし、回答を得られやすくなると考えられる。そうした公人では質問しにくい質問が、匿名になると質問し知識を得られやすくなるメリットは、医療業界でなくても公人の世界ではよくあることであるが、このような２つの立場の切り換えを迅速に行える点が、従来にはない本実施形態に係る情報処理システム１の大きな特徴の１つである。
【００３０】
図３に示す匿名ＳＮＳ２００に係る表示画面２１０の具体例は、図２に示した記名ＳＮＳ１００に係る表示画面１１０の具体例に近似している。このような形態とすることで、勤務中にユーザ以外の患者や看護師にディスプレイを覗き込まれたとしても、いずれのＳＮＳにアクセスしているのかが判明されづらいというメリットを得ることが可能となる。更に、２つのＳＮＳの違いをあまり意識せずに、ユーザは使用可能となる。
【００３１】
匿名ＳＮＳ２００にも、ワープボタン２１７が配置されている。ユーザである医師Ｄは、ワープボタン２１７を操作することで、状況に応じて迅速に記名ＳＮＳ１００へとＳＮＳ（すなわち、ＳＮＳにより表示される表示画面）を切り換えることができる。
【００３２】
尚、本実施形態の説明では、記名ＳＮＳ１００の表示画面１１０及び匿名ＳＮＳ２００の表示画面２１０の双方にワープボタン１１７及び２１７を設けているが、これに限られるものではなく、一方のみに設けるようにしても良い。
【００３３】
また、匿名ＳＮＳ２００には、その匿名性故に、どうしても他人に読まれたくない情報が載せられていることが多い。その場合には、記名ＳＮＳ１００から匿名ＳＮＳ２００に移動する時にパスワード設定ができるようにすれば、匿名性確保の利便性をさらに向上することができる。
【００３４】
（２  システム構成）
次に、図４乃至図６を参照しながら、本実施形態の機能構成を説明する。
（２．１  システム全体の構成）
図４は、情報処理システムであるＳＮＳサーバ１０が機能するシステム１の全体構成を示す図である。システム１は、大きく分けてＳＮＳサーバ１０と、１台以上のクライアント端末２０とを含み、ＳＮＳサーバ１０及びクライアント端末２０は、ネットワークＮで接続されている。
【００３５】
情報処理システムであるＳＮＳサーバ１０は、記名ＳＮＳ１００を提供する記名ＳＮＳ提供部１２０と、匿名ＳＮＳ２００を提供する匿名ＳＮＳ提供部２２０と、記名ＳＮＳ１００及び匿名ＳＮＳ２００に係る各ユーザのプロファイルを管理するプロファイル管理部３００とを含む。ここで、ＳＮＳサーバ１０が含む各構成は、複数の情報処理装置（サーバも含む）により構成されても良い。
記名ＳＮＳ提供部１２０は、上述の通り記名ＳＮＳ１００を提供し、ＳＮＳ切換部１２１と、表示画面生成部１２３と、会員紹介部１２５とを含む。
【００３６】
ＳＮＳ切換部１２１は、図２に具体例を示した表示画面１１０上のワープボタン１１７の操作に応じて、ユーザがログインするＳＮＳを、記名ＳＮＳ１００から匿名ＳＮＳ２００に切り換えるためのものである。この処理は、例えば、クライアント端末２０と記名ＳＮＳ提供部１２０との間のセッションを切断すると共に、匿名ＳＮＳ提供部２２０に当該ユーザの情報を渡し、匿名ＳＮＳ提供部２２０にクライアント端末２０との間のセッションを張らせることにより実現することができる。
【００３７】
表示画面生成部１２３は、図２に具体例を示した表示画面１１０のデータ（ＨＴＭＬで記載されたテキストデータや画像データ等を含む）を生成してクライアント端末２０へ送信し、表示させる。このとき、表示画面生成部１２３は、当該クライアント端末２０を用いてアクセスしているユーザが医師Ｄであるか否かに応じて、ワープボタン１１７を配置するか否かを切り換える。
【００３８】
会員紹介部１２５は、記名ＳＮＳ１００のユーザ間で、匿名ＳＮＳ２００を紹介することを可能とする機能である。このとき、例えば紹介されたユーザが医師Ｄであれば、プロファイル管理部３００で管理されるユーザプロファイルが更新され、匿名ＳＮＳ提供部２２０が提供する匿名ＳＮＳ２００へログインする権限が与えられることとなる。前述の通り、匿名ＳＮＳ２００は医師Ｄでなければ記名ＳＮＳ１００から切り換えてアクセスできないため、紹介されたユーザが医師Ｄでなければ、記名ＳＮＳ１００及び匿名ＳＮＳ２００の双方にログインする会員の権限は付与されない。
匿名ＳＮＳ提供部２２０は、上述の通り匿名ＳＮＳ２００を提供し、ＳＮＳ切換部２２１と、表示画面生成部２２３とを含む。
【００３９】
ＳＮＳ切換部２２１は、ＳＮＳ切換部１２１と同様、図３に具体例を示した表示画面２１０上のワープボタン２１７の操作に応じて、ユーザがログインするＳＮＳを、匿名ＳＮＳ２００から記名ＳＮＳ１００に切り換えるためのものである。この処理は、例えば、例えば、クライアント端末２０と匿名ＳＮＳ提供部２２０との間のセッションを切断すると共に、記名ＳＮＳ提供部１２０に当該ユーザの情報を渡し、記名ＳＮＳ提供部１２０にクライアント端末２０との間のセッションを張らせることにより実現することができる。
表示画面生成部２２３は、図３に具体例を示した表示画面２１０のデータを生成してクライアント端末２０へ送信し、表示させる。
【００４０】
尚、本実施形態に係る匿名ＳＮＳ２００では、会員間での記名ＳＮＳ１００への紹介を認めていない。これは、匿名ＳＮＳ２００のユーザ関係の信頼性が低い一方、記名ＳＮＳ１００は会員情報の透明性及び信頼性を確保する必要があるためである。
【００４１】
プロファイル管理部３００は、ユーザが記名ＳＮＳ１００や匿名ＳＮＳ２００にログインするためのＩＤ（氏名やメールアドレスで代替可）やパスワードの他、生年月日や、勤務先等の各種ユーザ情報（会員情報）を管理する。その具体例を、以下に述べる。
【００４２】
（２．２  プロファイルデータベースの具体例）
プロファイル管理部３００が管理するプロファイルの具体例を、図５及び図６を参照しながら説明する。図５は、医師Ｄ等の医療従事者にかかるプロファイルのデータベース３００Ａの具体例、図６は、医薬情報担当者Ｍにかかるプロファイルのデータベース３００Ｂの具体例を示す図である。
【００４３】
医療従事者にかかるプロファイルのデータベース３００Ａは、ログイン等に必要なユーザの基本的な情報である氏名や振り仮名、パスワードの他、匿名ＳＮＳ２００で使用されるニックネームや、生年月日、医師Ｄであるか否か、診療科目、専門分野、勤務先、コンタクトをとるためのメールアドレス、サブメールアドレスといった情報が管理される。このほか、図５には示されていないが、医療資格や趣味等といった情報を含んでも良い。特に、勤務先や医療資格、診療科といった情報は、ユーザプロファイルとして表示画面１１０上に表示可能とすれば、記名ＳＮＳ１００上でのコミュニケーションの活発化等に役立てることができる。
【００４４】
また、医師Ｄであるか否かは、ワープボタン１１７を表示するか否かや、匿名ＳＮＳ２００へのアクセス権限があるか否か、又は紹介を受ける権限があるか否かの判断等に利用することが可能である。
【００４５】
医薬情報担当者Ｍにかかるプロファイルのデータベース３００Ｂには、ログイン等に必要なユーザの基本的な情報である氏名や振り仮名、パスワードの他、生年月日や勤務先といった情報が管理される。これらの情報は、ユーザプロファイルとして表示画面１１０上に表示され、医薬情報担当者Ｍ間、若しくは医師Ｄ等から参照されて、お互いの情報交換やコミュニティ作成等のためのベースとして使用される。
【００４６】
尚、本実施形態において、医薬情報担当者Ｍは匿名ＳＮＳ２００へのアクセス権限がないため、ニックネーム等の匿名ＳＮＳ２００に特有の情報は、データベース３００Ｂには含まれない。
【００４７】
（３  処理の流れ）
図７を参照しながら、ＳＮＳサーバ１０を含むシステム１でのＳＮＳ切換えに係る処理の流れを説明する。図７は、ＳＮＳサーバ１０のＳＮＳ切換えに係る処理の流れを示すフローチャートである。尚、本フローチャートに係る処理は、記名ＳＮＳ１００へのログインにより開始するものとする。
【００４８】
ユーザ（会員）が記名ＳＮＳ１００にログインすると、記名ＳＮＳ提供部１２０は、プロファイル管理部３００を参照して、当該ユーザが医師Ｄであるか否かを判別する（Ｓ７０１）。ユーザが医師Ｄではない場合（例えば、ユーザが医薬情報担当者Ｍである場合。Ｓ７０１のＮｏ）には、表示画面生成部１２３は、ワープボタン１１７を含まない表示画面１１０のデータを生成してクライアント端末２０に表示させる（Ｓ７０３）。この場合、匿名ＳＮＳ２００にＳＮＳが切り換えられることはないので、ユーザがログアウトしない限り、記名ＳＮＳ提供部１２０は、当該ユーザに対する記名ＳＮＳ１００の提供を続ける（Ｓ７０５のＮｏ）。
【００４９】
一方、ログインしたユーザが医師Ｄである場合には（Ｓ７０１のＹｅｓ）、表示画面生成部１２３は、ワープボタン１１７を含む表示画面１１０のデータを生成してクライアント端末２０に表示させる（Ｓ７０７）。その後、もしユーザがワープボタン１１７を押下した旨の信号をクライアント端末２０から受信した場合には（Ｓ７０９のＹｅｓ）、ＳＮＳ切換部１２１は、ユーザがログインするＳＮＳを、記名ＳＮＳ１００から匿名ＳＮＳ２００に切り換える（Ｓ７１１）。このとき、匿名ＳＮＳ提供部２２０は、クライアント端末２０へ匿名ＳＮＳ２００の提供を開始し、表示画面生成部２２３は、プロファイル管理部３００から取得できるニックネームを含むプロファイル等を示すと共に、ワープボタン２１７を配置した表示画面２１０のデータを生成してクライアント端末２０に表示させる。
【００５０】
もしユーザが表示画面２１０上でワープボタン２１７を押下した旨の信号を受信すると（Ｓ７１３のＹｅｓ）、ＳＮＳ切換部２２１は、ユーザがログインするＳＮＳを、匿名ＳＮＳ２００から記名ＳＮＳ１００に切り換える（Ｓ７１５）。このとき、記名ＳＮＳ提供部１２０は、クライアント端末２０へ記名ＳＮＳ１００の提供を開始し、表示画面生成部１２３は、プロファイル管理部３００から取得できる本名や勤務先等を含むプロファイル等を示すと共に、ワープボタン１１７を配置した表示画面１１０のデータを生成してクライアント端末２０に表示させる。そして、Ｓ７０９の処理に戻る。
【００５１】
また、記名ＳＮＳ提供部１２０による記名ＳＮＳ１００の提供時又は匿名ＳＮＳ提供部２２０による匿名ＳＮＳ２００の提供時に、いずれかのタイミングでユーザがログアウトした場合には（Ｓ７０５のＹｅｓ、又はＳ７１７のＹｅｓ）、ＳＮＳサーバ１０は、当該クライアントとの間のＳＮＳ提供処理を終了する。
【００５２】
（４  本実施形態の効果）
以上説明したように、本実施形態によれば、ユーザはたとえばワープボタン１１７及び２１７への１回の操作で記名ＳＮＳ１００及び匿名ＳＮＳ２００のいずれかを切り換えることができるため、煩雑な操作なく、迅速にＳＮＳ（及びそれにより表示される表示画面）を切り換えることが可能となり、利便性を向上させることができる。
【００５３】
また、１つのプロファイルで、用途に応じて、記名性の記名ＳＮＳ１００と、匿名性の匿名ＳＮＳ２００とを使い分けることができるので、様々なニーズに応えることが可能となっている。更に、記名ＳＮＳ１００では、友人を匿名ＳＮＳ２００の会員として紹介することができるので、両方のＳＮＳを用いて、相乗的にコミュニティの促進を図ることも可能となっている。
【００５４】
（５  他の実施形態）
上記実施形態では、ＳＮＳの被提供者が医師Ｄ等の医療関係者である場合を例に説明を行ったが、これに限られるものではない。通常、医師に限らず、一般に社会で「先生」や「社長」と称される職業や職種、役職等の人たちは、公人としての自分から発信される情報の機密性の意義をより理解しており、また、それが誤って伝達されることを恐れている。したがって、通常は公人であるユーザが、ワープ機能を使って瞬時に非公人の匿名となって発言し、それが社会的に伝搬されることは、人間としての「表」と「裏」を使い分ける楽しさ、あるいは「建前」と「本音」とを使い分ける楽しさにつながるものと考えられる。本情報処理システム１の構築は、そうした公人としての立場、通常は尊敬されるはずであるべき立場をもつユーザが潜在的にもつ、時には非公人となりたい、尊敬されなくてもいい立場になりたい、と思うことの要望を瞬時に満たすものである。したがって、そうした欲望、希望をもつ職業や職種、役職であれば、どのようなユーザであっても、本実施形態の有用性を期待できる。つまり、例えば、弁護士、税理士、政治家、大学教授、学習塾、小学校、中学校、高校、大学、いわゆる全ての教育機関、研究所、システムエンジニア、社長たちのグループ等の各種専門職の従事者に対象ユーザとして、上記実施形態と同様の手法を適用することも可能である。
【００５５】
また、上記実施形態では、記名ＳＮＳ１００及び匿名ＳＮＳ２００を切り換える度に、会員情報を参照してログインし直す場合を例に説明を行ったが、これに限られるものではない。例えば、両方のログイン状態を保持した上で、表示画面のみを切り換えるようにすることも考えられる。
【００５６】
（６  付記事項）
尚、前述の各実施形態の構成は、組み合わせたり或いは一部の構成部分を入れ替えたりしてもよい。また、本発明の構成は前述の実施形態のみに限定されるものではなく、本発明の要旨を逸脱しない範囲内において種々変更を加えてもよい。
【符号の説明】
【００５７】
１０・・・ＳＮＳサーバ、２０・・・クライアント、１２０・・・記名ＳＮＳ提供部、１２１・・・ＳＮＳ切換部、１２３・・・表示画面生成部、１２５・・・会員紹介部、２２０・・・匿名ＳＮＳ提供部、２２１・・・ＳＮＳ切換部、２２３・・・表示画面生成部、３００・・・プロファイル管理部、Ｎ・・・ネットワーク
【図１】
2013149019.tif 000003
【図２】
2013149019.tif 000004
【図３】
2013149019.tif 000005
【図４】
2013149019.tif 000006
【図５】
2013149019.tif 000007
【図６】
2013149019.tif 000008
【図７】
2013149019.tif 000009